(57)【要約】  眼科用メガネレンズを着用者に提供するための方法であって、本方法は、次の連続的なステップ、着用者の目が、実質的に低次収差がないまたは低次収差を補正される場合には、着用者の目の視力値、VA、または着用者の両目の両眼視力値、VAbinoを測定するステップと、着用者の目の測定された視力値に基づいて残留非点収差の管理を適応させることによって眼科用メガネレンズの設計をコンピュータ手段によって計算するまたは眼科用メガネレンズ設計データベースで設計を選択するステップとを含む。
2013511060.tif 000002
【特許請求の範囲】
【請求項１】
コンピュータ手段を通じて少なくとも部分的に実施される、眼科用メガネレンズを着用者に提供するための方法であって、次の連続的なステップ、
a)前記着用者の目(両目)の低次(球面および/または円柱面)収差を、前記収差が0.25ジオプトリーよりも大きい場合に補正するために眼科用補正デバイスを前記着用者に提供するステップと、
b)前記着用者の目が、実質的に低次収差がないまたはステップa)に従って補正される場合には、前記着用者の目の視力値、VA、または前記着用者の両目の両眼視力値、VAbinoを測定するステップと、
c)ステップb)の前記測定された視力値に基づいて残留非点収差の管理を適応させることによって前記眼科用メガネレンズの設計をコンピュータ手段によって計算するまたは眼科用メガネレンズ設計データベースで設計を選択するステップとを含む、方法。
【請求項２】
ステップa)の前記眼科用補正デバイスは、目の注視方向に1つの補正レンズまたは複数の補正レンズを含む、請求項1に記載の方法。
【請求項３】
ステップa)はまた、目のより高次の収差を補正するために眼科用補正デバイスを前記着用者に提供するステップも含む、請求項1または2のいずれかに記載の方法。
【請求項４】
ステップa)および/または請求項3に記載の眼科用補正デバイスは、適応光学視覚シミュレータを含む、請求項1から3のいずれかに記載の方法。
【請求項５】
前記視力値、VAL、VARは、左(L)および右(R)の各目について測定され、設計パラメーターDPLおよびDPRはそれぞれ、前記着用者の前記左目および前記右目のための前記設計を計算するまたは選択するために使用される、請求項1から4のいずれかに記載の方法。
【請求項６】
前記視力値、VAL、VARは、左(L)および右(R)の各目について測定され、優位なまたは指導的な目が、決定され、前記着用者の前記左目および前記右目のための前記設計は、前記優位なまたは指導的な目の前記視力値に従って計算されるまたは選択される、請求項1から5のいずれかに記載の方法。
【請求項７】
前記眼科用メガネレンズは、累進多焦点メガネレンズである、請求項1から6のいずれかに記載の方法。
【請求項８】
前記着用者のための前記設計の前記計算または前記選択は、累進多焦点レンズ硬度パラメーターに従って行われる、請求項7に記載の方法。
【請求項９】
前記着用者のための前記設計の前記計算または前記選択は、前記視力が低いほど、前記着用者のための前記設計はよりソフトであり、それに応じて前記視力が高いほど、前記着用者のための前記設計はよりハードであるように行われる、請求項8に記載の方法。
【請求項１０】
設計パラメーター(DP1)は、前記着用者のための前記設計を計算するまたは選択するために使用され、ここで、
DP1=EHC+(1-EHC)×DPであり、
ただし、
EHCは、目-頭部係数であり、
DPは、前記視力値によって計算される設計パラメーターであり、ただしハード設計についてはDP=0であり、ソフト設計についてはDP=1である、請求項7から9のいずれかに記載の方法。
【請求項１１】
VA<VAminである場合には、DP=0であり、
VA>VAmaxである場合には、DP=1であり、
VAmin≦VA≦VAmaxである場合には、DP=(VA-VAmin)/(VAmax-VAmin)であり、
VAは、前記目の前記測定された視力値であり、VAminおよびVAmaxはそれぞれ、最小および最大の視力しきい値であり、LogMAR単位で表される、請求項10に記載の方法。
【請求項１２】
着用者のための眼科用メガネレンズを製造するための方法であって、次の連続的なステップ、
a)前記着用者の目(両目)の低次(球面および/または円柱面)収差を、前記収差が0.25ジオプトリーよりも大きい場合に補正するために眼科用補正デバイスを前記着用者に提供するステップと、
b)前記着用者の前記目が、実質的に低次収差がない場合には、前記着用者の前記目の視力値、VAを測定するステップと、
c)前記着用者の前記目の前記測定された視力値に基づいて残留非点収差の管理を適応させることによって前記眼科用メガネレンズの設計をコンピュータ手段によって計算するまたは眼科用メガネレンズ設計データベースで設計を選択し、このようにして前記着用者のための個別光学系(OS)を提供するステップと、
d)レンズ基板を提供するステップと、
e)ステップc)で計算されたまたは選択された前記設計に対応する前記光学系(OS)に従って前記眼科用メガネレンズを製造するステップとを含む、方法。
【請求項１３】
プロセッサにアクセス可能であり、前記プロセッサによって実行されるとき、請求項1もしくは請求項12に記載のステップc)または請求項1から12のいずれかに記載のステップを前記プロセッサに実行させる命令の1つまたは複数の保存されたシーケンスを含むコンピュータプログラム製品。
【請求項１４】
請求項13に記載のコンピュータプログラム製品の命令の1つまたは複数のシーケンスを担持するコンピュータ可読媒体。
【発明の詳細な説明】
【技術分野】
【０００１】
本発明は一般に、視力改善の分野に関し、より具体的には設計を計算するまたは選択することによって眼科用メガネレンズを提供するための方法に関する。眼科用メガネレンズは、例えば累進多焦点レンズ、単焦点レンズとすることができる。本発明はまた、眼科用メガネレンズを作るための方法にも関する。さらに、本発明は、本発明の眼科用メガネレンズの設計のための計算方法を実施するために構成された一組のソフトウェアに関する。
【背景技術】
【０００２】
眼科用メガネレンズは、多くの異なる種類の視力不足を補正するために着用されて広く使用される。これらの視力不足には、近くが見えること(近視)および遠くが見えること(遠視)、乱視などの欠陥、ならびに通常老化に関連する近接範囲視力の欠陥(老眼)が含まれる。
【０００３】
眼科医または検眼士は、球、円柱および軸の観点から屈折異常を補正することによって視力を日常的に改善する。前記屈折異常は、低次収差である。
【０００４】
乱視は、点像を2つの垂直な直線(サジタル焦点および接線焦点)に変換する幾何学的収差である。これらの2つの直線間の距離は、光学系の非点収差値を表し、それらの向きは、非点収差軸である。
【０００５】
乱視は、目の屈折異常が経線依存であるときに生じる。これは通常、トロイダル形状を有する1つまたは複数の屈折表面、もっとも一般的には前角膜に起因する。乱視の屈折異常は、二次収差である。
【０００６】
光学系の非点収差は、局所的円環状面および光線の傾斜性(像および物体が軸を越えているとき)の両方に起因する。累進多焦点レンズなどでの複雑な表面は、レンズの各点で変わる非点収差を発生させている。レンズの非点収差と目の屈折異常に対応する処方された乱視との間の差は、残留非点収差と呼ばれる。
【０００７】
特許文献１は、目の高次収差(HOA)を測定するステップとHOA測定結果に基づいて前記眼科用メガネレンズ設計を計算するまたは選択するステップとを含む、眼科用メガネレンズを着用者に提供するための方法を開示する。
【先行技術文献】
【特許文献】
【０００８】
【特許文献１】国際公開第2009/043941号
【特許文献２】国際公開第2008/104695号
【特許文献３】国際公開第2009/044080号
【非特許文献】
【０００９】
【非特許文献１】M. Bach (1996)「The "Freiburg Visual Acuity Test"-Automatic measurement of visual acuity」、Optometry and Vision Science 73:49〜53
【発明の概要】
【発明が解決しようとする課題】
【００１０】
本発明が解決することを目指す問題は、レンズ使用者の視覚要求をよりよく満たし、レンズ使用者、特に累進多焦点レンズの使用者の快適さを改善し、使用者のレンズへの適応を容易にすることである。
【課題を解決するための手段】
【００１１】
この目的のために、本発明の1つの主題は、眼科用メガネレンズを着用者に提供するための方法であり、その方法は、次の連続的なステップ、
a)着用者の目(両目)の低次(球面および/または円柱面)収差を、前記収差が0.25ジオプトリーよりも大きい場合に補正するために眼科用補正デバイスを着用者に提供するステップと、
b)着用者の目が、実質的に低次収差がないまたはステップa)に従って補正される場合には、着用者の目の視力値、VA、または着用者の両目の両眼視力値、VAbino、を測定するステップと、
c)ステップb)の測定された視力値に基づいて残留非点収差の管理を適応させることによって眼科用メガネレンズの設計をコンピュータ手段によって計算するまたは眼科用メガネレンズ設計データベースで設計を選択するステップとを含む。
【００１２】
前記方法はそれ故に、少なくとも部分的にコンピュータ手段を通じて実施される。
【００１３】
本発明によると、「眼科用メガネレンズを着用者に提供すること」は、所与の着用者に前記着用者のための処方データに適合する眼科用メガネレンズを提示することに関係し、メガネレンズ設計は、前記着用者について決定されている。
【００１４】
本発明によると、「測定された視力値に基づいて残留非点収差の管理を適応させること」は、所与の着用者について測定された視力値と前記着用者に提供されることになる眼科用メガネレンズの残留非点収差との間の関連を確立するのに適した規則を定義することに関係する。前記関連のおかげで、メガネレンズ設計が、前記着用者について決定できる。
【００１５】
本発明の一実施形態によると、「測定された視力値に基づいて残留非点収差の管理を適応させること」は、残留非点収差の最大許容レベルが、所与の注視方向について定義され、前記レベルが、所与の視力値について定義されることを意味する。
【００１６】
本発明の一実施形態によると、着用者の目の視力値、VA、または着用者の両目の両眼視力値、VAbino、を測定することは、前記目の最大視力値を測定することに関係する。
【００１７】
当業者は、着用者の目の視力値、VA、または着用者の両目の両眼視力値、VAbino、の測定が、少なくとも所与の距離について実施されることを知っている。前記距離は、例えば遠方視覚、および/または中間視覚および/または近接視覚に対応する距離とすることができるが、限定はされない。本発明の枠内では、眼科用メガネレンズの「設計」は、前記着用者について決定された球、円柱、軸および度数付加の値から成る着用者標準処方パラメーターによって決定されない前記レンズの光学系の一部と理解すべきである。表現「設計」はそれ故に、着用者の眼球回転中心を通り抜ける異なる注視方向による収差再分配から生じる光学機能に関係する。非点収差勾配は、収差再分配に関係する指標の例であると考えることができる。
【００１８】
本発明の枠内では、着用者の目は、前記収差の値が0.25ジオプトリー以下であるとき実質的に低次収差がない。
【００１９】
眼科用メガネレンズ、および特に累進多焦点レンズは、残留収差、大部分は非点収差を伴う。それ故に、本発明は、使用者の目の視力測定結果に基づいて残留非点収差の管理をカスタマイズし、このようにして鋭敏さ/歪みの妥協を最適化することを提供する。実際、本発明者は、残留非点収差の視覚への影響が、着用者の視力のレベルに依存することを検証することができた。
【００２０】
直接的な関連も間接的な関連も、特許文献１の教示と本発明との間で確立できないことを強調すべきである。高次収差(HOA)は、三次以上の収差に関係し、一方視力は、すべての次数の収差を組み込み、所与の着用者についての視覚信号のニューロン処理に依存する。高次収差(HOA)および視力はそれ故に、所与の着用者についての2つの独立した視機能特性に関係する。
【００２１】
本発明の実施形態によると、着用者のための設計の計算または選択は、着用者の1つの目または両方の目に関係する。
【００２２】
別の実施形態によると、着用者のための設計の計算または選択は、両眼視覚に関係する。
【００２３】
視力(VA)は、視覚の鋭さまたは鮮明さであり、それは、目の内部での網膜焦点の鋭さおよび脳の解釈能力の感度に依存する。
【００２４】
視力は、確実に識別できる最小細部のギャップ(分角単位で測定される)のサイズ、言い換えれば、分解能の最小角(MAR)である。10進法では、視力は、このギャップの逆値として定義される。1.0の値は、20/20に等しい。
【００２５】
視覚野は、後頭葉と呼ばれる、視覚刺激を処理することに関与する脳の後部の大脳皮質の一部である。視野の中央10°(ほぼ黄斑の広がり)は、視覚野の少なくとも60%によって表される。これらのニューロンの多くは、視力処理に直接関与すると考えられている。
【００２６】
目は、目の後部から出る視神経によって視覚野に接続される。両目からの2つの視神経は、視交叉部で一緒になり、そこでは各目からの繊維の約半分は、反対側に回って、もう一方の目からの繊維と一緒になって対応する視野を表し、両目からの組み合わされた神経線維は、視神経路を形成する。これは最終的に、両眼視覚の生理学的基礎を形成する。神経路は、視床の一部である外側膝状核と呼ばれる中脳の中継局に突き出て、次いで視放線と呼ばれる神経線維の集まりに沿って視覚野に突き出る。
【００２７】
視力を測定することは、目、視覚脳、または脳への経路の健康にアクセスする際の簡単な検査である。
【００２８】
一実施形態によると、視力、VAは、記号のサイズが変化するとき標準化距離にある白色背景上の黒色記号(視標)を識別する能力の定量的尺度である。それは、視覚機能のもっとも一般的な臨床的測定である。術語「20/20視力」では、分子は、人がその距離から一対の物体を確実に区別できるフィート単位での距離のことである。分母は、「平均的な」人がその距離から区別できることになる距離であり、それらの分離角が1分角となる距離である。メートル法換算値は、距離が6メートルである6/6視力である。20フィートは、光学的視点からは本質的に無限遠である(20フィート対無限遠に焦点を合わせるのに必要とされる屈折力の差はたった0.164ジオプトリーだけである)。その理由のために、20/20視力は、人間の遠視力についての公称性能と考えることができ、20/40視力は、遠視力についてその視力の半分と考えることができ、20/10視力は、正常な視力の二倍であることになる。20/x数は、視力を補正するのに必要とされるメガネ処方に直接関係せず、むしろ目の検査は、少なくとも20/20視力を提供することになる処方を見いだそうとする。
【００２９】
視力は、例えばスネレン視力表で見られる文字のサイズまたはランドルトCもしくはタンブリングEなどの他の記号のサイズに従ってアイケア開業医または眼科医によって測定されてもよい。
【００３０】
フィートを測定の単位として使用すると、(分数の)視力は、20/20に対して表される。さもなければ、メートルを使用すると、視力は、6/6に対して表される。あらゆる点で、6/6視力は、20/20と同等である。
【００３１】
LogMARは、分解能の最小角の対数として表される別のよく使用されるスケールである。LogMARスケールは、伝統的視力表の幾何学的並びを線形スケールに変換する。それは、視力損失を測定し、正の値は、失明を示し、一方負の値は、正常なまたはよりよい視力を示す。このスケールは、「線が失われた」または「線が得られた」の伝統的な臨床発言についてのより科学的な等価物を提供し、その発言は、線間のすべての段が同じであるときにのみ妥当であり、それは、通常は事実ではない。
【００３２】
視力が、視力表で最大視標よりも下であるときは、患者が、それを読むことができるまで、視力表が、患者のより近くに移動されるか、または患者が、視力表のより近くに移動される。いったん患者が、視力表を読むことができると、文字サイズおよび検査距離が、書き留められる。
【００３３】
目の収差は、球、円柱(それらは「低」収差である)およびより高次の収差を含み、波面測定を使用して決定できる。
【００３４】
波面は、ゼルニケ多項式を使用して解析できる。そのような解析は、例えば眼球波面収差を記述するためにOptical Society of America(OSA)によって推奨されているが、しかし例えばテイラー級数またはスプラインなどの他の多項式もまた、波面を数学的に記述するために使用できる。
【００３５】
ゼルニケ展開は、多項式の直交する組で収差を提示する。それは、ピラミッドの形で表示できる。垂直方向に各行は、収差の典型的な形を表し、これらは、(放射状)次数と呼ばれる。最上部は、ゼロ次と呼ばれ、それは実際は、収差ではないが、しかし例えばスケーリングのために追加できる定数である。第2の行(一次)は、プリズム効果を表す。収差の各提示は、項と呼ばれる。プリズム効果は、垂直方向(Z項2、上または下)および水平方向(Z項3、中または外)に基づく。ゼロ次および一次(Z項1〜3)は、特定の視覚障害に、または特定の測定条件に関連しているので、これらは通常、想像されない。それは、二次から興味深くなり始める。ピラミッドの真ん中では、焦点ぼけ(Z項4)を見いだすことができる。それは、ピラミッドの軸線に位置する。これは、焦点ぼけ(屈折の球面部分)が、回転対称(ゼロ角周波数)であるからである。焦点ぼけの両側では、非点収差(屈折での円柱)項Z-3およびZ-5を見いだすことができる。これらは、1つの経線だけで働くので焦点ぼけの特別条件である。その結果これらは、方向(円柱の軸)とともに示さなければならず、斜め非点収差についてはZ-3、水平非点収差についてはZ-5である。三次の収差は、コマおよびトレフォイルを含み、各々は、方向を有し、それでこの行では真ん中にZ項がない。次は、四次の5項である。球面収差(Z-12)は、回転対称であり、他の項(方向を持つ)は、二次的非点収差およびテトラフォイルである。光学で収差を記述するためには、ピラミッドは、さらに多くの次数および項を続ける。通常これらは、目には存在しないかまたは非常に低い。論じたような14のZ項内でさえ、すべての項が、目に等しく重要であるとは限らない。目にとっては、二次の収差は、「低次収差」と呼ばれ、屈折の球および円柱の値を含む。三次以上は、「より高次の収差」と呼ばれる。
【００３６】
組み合わせることができる異なる実施形態によると、
-  ステップa)の眼科用補正デバイスは、目の注視方向に1つの補正レンズまたは複数の補正レンズを含み、検眼レンズが、この目的のために使用されてもよい。
-  ステップa)はまた、目のより高次の収差を補正するために眼科用補正デバイスを着用者に提供するステップも含む。
-  ステップa)および/または前述の請求項の眼科用補正デバイスは、適応光学視覚シミュレータを含み、一実施形態によると、適応光学視覚シミュレータは、Company Image Eyesによって商品化されたcrx1(商標)装置である。
-  目の視力値は、例えばスネレン視力表またはベイリー(Bailey)-ラビエ(Lovie)視力表を使用することによるように、視力表によって測定され、別の実施形態によると、目の視力値は、例えばランドルトCまたはタンブリングもしくはスネレンEを使用することによるように、視標記号によって測定される。
【００３７】
一実施形態によると、視力値、VAL、VARは、左(L)および右(R)の各目について測定され、設計パラメーターDPLおよびDPRはそれぞれ、着用者の左目および右目のための設計を計算するまたは選択するために使用される。
【００３８】
別の実施形態によると、視力値、VAL、VARは、左(L)および右(R)の各目について測定され、優位なまたは指導的な目が、決定され、着用者の左目および右目のための設計は、優位なまたは指導的な目の視力値に従って計算されるまたは選択される。
【００３９】
本発明の一実施形態によると、眼科用メガネレンズは、累進多焦点レンズである。
【００４０】
本発明の一実施形態によると、着用者のための設計の計算および選択は、累進多焦点レンズ硬度パラメーターに従って行われる。
【００４１】
本発明の枠内では、「レンズ硬度パラメーター」は、眼科用レンズ周辺収差管理を特徴付けるのに適しているパラメーターと理解すべきである。前記収差管理は、遠いおよび近い視覚ゾーンでの視野開口に関係し、それ故に眼科用レンズ周辺に沿った収差の変化度に関係する。限定されない例によると、レンズ硬度パラメーターは、レンズ表面での最大非点収差勾配、またはレンズ表面での最大光屈折度数勾配、またはそれらの組合せである。
【００４２】
累進多焦点レンズ設計は、度数および非点収差の分布に基づいて「ハード」型設計または「ソフト」型設計として広く分類される。
【００４３】
ハードレンズ設計は、累進多焦点光学をレンズ表面のより小さな領域に集中させ、それによって周辺での不要な円柱面度数の勾配および全体の大きさを高めることを犠牲にしてはっきりとした視覚のエリアを拡大する。
【００４４】
ソフトレンズ設計は、レンズ表面のより大きな領域にわたって累進多焦点光学を広げ、それによってはっきりとした視覚のエリアを狭くすることを犠牲にして不要な円柱面度数の勾配および全体の大きさを低減する。
【００４５】
付加度数の比較的緩やかな累進を持つより長い累進回廊長は通常、ソフトレンズ設計を与え、一方付加度数の比較的急な累進を持つより短い回廊長は通常、ハードレンズ設計を与える。
【００４６】
最大度数または非点収差勾配は、レンズ設計を特徴付けるための主要特徴と考えられてもよい。前記勾配は、1ジオプトリーの追加について正規化され、累進多焦点レンズの実際の勾配は、着用者にとって望ましい追加値を乗じられる。
【００４７】
限定されない例によると、ソフト設計累進多焦点レンズの勾配値は、1度当たり0.05ジオプトリー以下であり、一方ハード設計累進多焦点レンズの勾配値は、1度当たり0.15ジオプトリー以上である。
【００４８】
本発明の実施形態によると、
-  着用者のための設計の計算または選択は、視力がより低いほど、着用者のための設計がよりソフトであり、それに応じて視力がより高いほど、着用者のための設計がよりハードであるように行われる。
-  設計パラメーター(DP1)は、着用者のための設計を計算するまたは選択するために使用され、ここで、
DP1=EHC+(1-EHC)×DP
であり、ただし、
EHCは、目-頭部係数であり、
DPは、視力値によって計算される設計パラメーターであり、ただしハード設計についてはDP=0であり、ソフト設計についてはDP=1である。
【００４９】
本発明の枠内では、「目-頭部係数」は、着用者の注視方向が変化しているときに着用者の目および頭部のそれぞれの動きの相対振幅を特徴付けるのに適した係数である。目-頭部係数は、「目/頭部」運動協調検査によって着用者について測定できる。
【００５０】
一実施形態によると、EHCは、着用者が見ている目標の角度離心率(E)で割った着用者の頭部の角度変位(αT)の関数である。前記EHCは、目標を見るときに頭部の向きを変えただけである着用者については1に等しく、目標を見るときに目の向きを変えただけである着用者については0に等しい。
【００５１】
一実施形態によると、
VA<VAminである場合には、DP=0であり、
VA>VAmaxである場合には、DP=1であり、
VAmin≦VA≦VAmaxである場合には、DP=(VA-VAmin)/(VAmax-VAmin)であり、
ただしVAは、目の測定された視力値であり、VAminおよびVAmaxはそれぞれ、最小および最大の視力しきい値であり、LogMAR単位で表される。
【００５２】
前の実施形態に関する例によると、VAmin=-0.1LogMAR(12/10)およびVAmax=0.2LogMAR(6/10)である。
【００５３】
本発明による方法はまた、既存のレンズ設計の選択を最適化するためにも使用できる。特に、視力に応じて、視野の全体で処方された補正とのよりよい一致を可能にする機能、または組立てパラメーターおよび着用モードを考慮に入れる機能を使用するかまたは使用しないことが可能である。
【００５４】
本発明はまた、着用者のための眼科用メガネレンズを製造するための方法にも関し、次の連続的なステップ、
a)着用者の目(両目)の低次(球面および/または円柱面)収差を、前記収差が0.25ジオプトリーよりも大きい場合に補正するために眼科用補正デバイスを着用者に提供するステップと、
b)着用者の目が、実質的に低次収差がない場合には、着用者の目の視力値、VAを測定するステップと、
c)着用者の目の測定された視力値に基づいて残留非点収差の管理を適応させることによって眼科用メガネレンズの設計をコンピュータ手段によって計算するまたは眼科用メガネレンズ設計データベースで設計を選択し、このようにして着用者のための個別光学系(OS)を提供するステップと、
d)レンズ基板を提供するステップと、
e)ステップc)で計算されたまたは選択された設計に対応する光学系(OS)に従って眼科用メガネレンズを製造するステップとを含む。
【００５５】
異なる実施形態によると、製造するための前記方法は、前に述べた特徴および眼科用メガネレンズを着用者に提供するための前述の方法の異なる実施形態を組み込む。
【００５６】
本発明はまた、プロセッサにアクセス可能であり、プロセッサによって実行されるとき、前述の方法の異なる実施形態のステップの少なくとも1つをプロセッサに実行させる命令の1つまたは複数の保存されたシーケンスを含むコンピュータプログラム製品にも関する。
【００５７】
本発明はまた、前述のコンピュータプログラム製品の命令の1つまたは複数のシーケンスを担持するコンピュータ可読媒体にも関する。
【００５８】
具体的にそうでないと述べない限り、次の議論から明らかなように、本明細書全体にわたって「コンピュータ処理する」、「計算する」、「生成する」、または同様のことなどの術語を利用する議論は、計算システムのレジスタおよび/またはメモリ内の電子的などの物理的量として表されるデータを計算システムのメモリ、レジスタまたは他のそのような情報ストレージ、送信もしくは表示デバイス内の物理的量として同様に表されるデータに操作しかつ/または変換するコンピュータもしくは計算システムまたは同様の電子計算デバイスの働きおよび/またはプロセスのことである。
【００５９】
本発明の実施形態は、本明細書で演算を行うための装置を含んでもよい。この装置は、所望の目的のために特別に構築されてもよく、またはそれは、コンピュータに保存されたコンピュータプログラムによって選択的に起動されるまたは再構成される汎用コンピュータまたはデジタルシグナルプロセッサ(「DSP」)を含んでもよい。そのようなコンピュータプログラムは、フロッピー（登録商標）ディスク、光ディスク、CD-ROM、光磁気ディスクを含む任意の種類のディスク、読み出し専用メモリ(ROM)、ランダムアクセスメモリ(RAM)、電気的にプログラム可能な読み出し専用メモリ(EPROM)、電気的に消去およびプログラム可能な読み出し専用メモリ(EEPROM)、磁気もしくは光カード、または電子的命令を保存するのに適しており、コンピュータシステムバスに結合できる任意の他の種類の媒体などだが限定はされない、コンピュータ可読ストレージ媒体に保存されてもよい。
【００６０】
本明細書で提示されるプロセスおよびディスプレイは、任意の特定のコンピュータまたは他の装置に本来関連していない。さまざまな汎用システムが、本明細書での教示に従ってプログラムとともに使用されてもよく、所望の方法を行うためにより特化した装置を構築することが、便利であることを証明してもよい。いろいろなこれらのシステムのための所望の構造は、以下の記述から明らかとなる。加えて、本発明の実施形態は、どんな特定のプログラミング言語に関しても述べられない。いろいろなプログラミング言語が、本明細書で述べるような本発明の教示を実施するために使用されてもよいことが理解されよう。
【００６１】
本発明の特徴ならびに本発明それ自体は、それの構造およびそれの動作の両方に関して、付随する記述と併用される、付随する限定されない図面および例からもっともよく理解されることになる。
【図面の簡単な説明】
【００６２】
【図１】初期視力値に応じた視力微分変化に関する実験結果を示す図である。
【図２】視力を測定するための方法のグラフ表示を示す図である。
【図３ａ】異なる累進多焦点レンズ設計のための非点収差分布を示す図である。
【図３ｂ】異なる累進多焦点レンズ設計のための非点収差分布を示す図である。
【図４ａ】異なる累進多焦点レンズ設計のための非点収差分布を示す図である。
【図４ｂ】異なる累進多焦点レンズ設計のための非点収差分布を示す図である。
【図５ａ】メガネレンズ着用者について両目および頭部の動きの測定原理を例示する図である。
【図５ｂ】メガネレンズ着用者について両目および頭部の動きの測定原理を例示する図である。
【発明を実施するための形態】
【００６３】
図1は、複数の着用者について各着用者の目の初期視力値VAinitに応じた視力微分(varVA_cyl)変化の実験データを示し、視力値は、LogMAR単位で表される。着用者の視力は、値VAinitが低いときは高く、値VAinitが高いときは低いことを強調すべきである。視力微分(varVA_cyl)は、追加非点収差度数(追加円柱面度数)の関数としての合成視力変化の勾配として計算され、対応する単位は、1ジオプトリー当たりのLogMARである。初期視力値VAinitが、初めに着用者について測定され、複数の非点収差値が次いで、前記着用者のために追加され、合成視力が、前記非点収差値追加を持つ着用者について測定される。なされた実験によると、勾配は、0.25、0.5および0.75ジオプトリーの3つの異なる追加非点収差値を使ってそれぞれ得られる合成視力の3つの測定結果の線形補間から計算される。
【００６４】
視力は、図2を述べるときに開示される方法に従って測定される。
【００６５】
本発明者は、前記視力微分(varVA_cyl)が、初期視力値に大きく依存し、平均依存直線101、102が、プロットできることを確証した。
【００６６】
決定係数R2が、計算され、ただしRは、ピアソンの相間パラメーターである。
【００６７】
矩形(各矩形は、所与の着用者についての実験結果である)および直線101は、着用者の目が、実質的に低次収差がない場合のデータに関係する。本実験では、低い収差は、適応光学視覚シミュレータによって補正され、検眼レンズもまた、同じ目的のために使用できる。直線101を計算するときの決定係数R2は、R2=0.32である。
【００６８】
ひし形(各ひし形は、所与の着用者についての実験結果である)および直線102は、着用者の目が、実質的に低次収差がなく、着用者の目がまた、適応光学視覚シミュレータを使用することにより実質的により高次の収差もない場合のデータに関係する。直線102を計算するときの決定係数R2は、R2=0.44である。
【００６９】
それ故に、初期視力値が、例えばLogMAR(VAinit)が-0.20から-0.05の間に含まれるように高い着用者の目は、非常に高感度(高い視力微分)であり、一方初期視力値が、例えばLogMAR(VAinit)が0.15から0.30の間に含まれるように低い着用者の目の視力は、低感度(低い視力微分)であると決定できる。この教示のおかげで、「ハード設計」眼科用メガネレンズを初期視力値が高い着用者に、および「ソフト設計」眼科用メガネレンズを初期視力値が低い着用者に有利に提供できる。
【００７０】
図2は、図1の実験データを決定するために使用される、視力を測定するための方法のグラフ表示を示す。前記方法は、「フライブルク視力検査」と呼ばれ、M. Bach (1996)「The "Freiburg Visual Acuity Test"-Automatic measurement of visual acuity」、Optometry and Vision Science 73:49〜53で開示されている。「フライブルク視力検査」は、視力の自己管理測定のための自動化手順である。ランドルトCは、8つの向きの1つがモニター上に提示される。被験者は、ランドルトCのギャップの8つの可能な位置に従って応答ボックスに空間的に配置される8つのボタンの1つを押す。視力しきいを推定するために、最良PEST(感覚しきいの確率推定)手順が、用いられ、そこでは対数視力スケール上で一定勾配を有する精神測定関数が、仮定される。測定は、固定数の試行後に終了する。図2bは、「フライブルク視力検査」の概略的な配置を示す。ランドルトC、20が、スクリーン23に現れると、被験者21は、Cのギャップの方向に従って空間的に配置される8つのボタン22の1つを押すことによって応答する。ボタンを押すと直ちに増大する「パイ」の形で視覚的フィードバックがあり、欠けている部分は、ランドルトCの正しい位置を示す。その後、次の視標サイズが、提示され、そのサイズは、最適化戦略に従って設定される。図2aは、目についての視力の評価のプロットを示す。この例によると、24のランドルトCが、前のステップに続いて着用者に提示される。刺激(St)のサイズは、縦座標軸上に示され、ランドルトC提示の数Nは、横座標上に示される。視力しきい202は、PEST手順に従って決定される。図2aの例では、視力しきいは、0.18LogMARの視力値に対応する6.6/10である。
【００７１】
図3aおよびbならびに4aおよびbは、着用者の初期視力値に応じて、非点収差の分布が典型的にレンズ使用者の2つのカテゴリーに調整された状態の、累進多焦点レンズの設計の2つの例を二度示す。
【００７２】
図3aおよびbは、累進チャネル長が18mmである累進多焦点レンズの設計の2つの例を示す。
【００７３】
図4aおよびbは、累進チャネル長が14mmである累進多焦点レンズの設計の2つの例を示す。
【００７４】
図3aおよび4aは、初期視力値が高く、好ましくはLogMAR(VAinit)が、-0.05未満(およびより好ましくは-0.10未満)である人のために調整された設計例の非点収差分布を示す。
【００７５】
図3bおよび4bは、初期視力値が低く、好ましくはLogMAR(VAinit)が、0.10よりも大きい(およびより好ましくは0.20よりも大きい)人のために調整された設計例の非点収差分布を示す。
【００７６】
遠い視覚(またはFV)エリアおよび近い視覚(またはNV)エリアでのより高いレベルの非点収差は、許容されるので、図3bおよび4bの設計は、図3aおよび4aの設計よりもはるかにソフトであり、従ってそれに適応することは、歪みの観点からはるかに容易であることになる。
【００７７】
図5aおよびbは、着用者の前に位置する第1の目標Rを見るときのメガネレンズ着用者80について目および頭部の動きの測定原理を例示する。着用者は初めに、図5aで示すように前記目標Rを見ており、次いで図5bで示すように肩を動かすことなく検査目標Tを見るように求められる。両方の目標間の角度シフトは、離心率と呼ばれ、Eと表現される。αTは、着用者80についての頭部角度シフトであり、αγは、着用者80の目の角度シフトであり、一方E=αT+αγである。目-頭部係数EHCは、αTとEとの間の比の増大関数として定義できる。例によると、EHC=αT/Eである。前記目および頭部測定方法の詳細は、参照によりこれによって組み込まれる特許文献２(すなわち前記文書の5および6ページ)で与えられる。
【００７８】
着用者について決定されたEHCは次いで、上で開示したDP2設計パラメーターを計算するために使用されるパラメーターとして使用できる。
【００７９】
本発明の一実施形態によると、着用者のための眼科用メガネレンズの設計は、本発明に従って複数の眼科用メガネレンズ設計の中から選択され、着用者のためのレンズの光学系は、選択された設計および着用者のための処方データを組み合わせることによって得られる。
【００８０】
本発明の別の実施形態によると、設計は、着用者の目の視力の程度に基づいて残留非点収差の管理を適応させることによって着用者について計算される。
【００８１】
前記設計計算は、計算パラメーターが着用者の目の視力に関連する、当業者に周知の設計計算方法に従って実施されてもよい。
【００８２】
本発明に適している設計計算方法によると、第1の設計が、選択され、次いで着用者の目の前記視力を考慮に入れるために変更される。最適化パラメーターが着用者の目の視力である最適化方法が、実施されてもよい。
【００８３】
一実施形態によると、最適化パラメーターは、設計パラメーターDP1である。
【００８４】
本発明の一実施形態によると、着用者のための眼科用メガネレンズを生産するための方法は、ESSILOR INTERNATIONAL(Companie Generale d'Optique)の名前で2008年9月11日に出願された、特許文献３の番号の付いた国際特許出願で述べられている方法によって実施することができ、「gain G qui a ete calculee pour le porteur」(着用者について計算された利得係数G)の値は、本発明の設計パラメーターDP1に等しいことになる。
【００８５】
本発明は、一般的な発明概念の制限なく実施形態の助けを借りて上で述べられ、特に当業者に周知の多数の計算および/または製造方法が、本発明に従って残留非点収差の管理を適応させるために使用されてもよい。
【符号の説明】
【００８６】
20  ランドルトC
21  被験者
22  8つのボタン
23  スクリーン
80  着用者
101  平均依存直線
102  平均依存直線
202  視力しきい
【図１】
2013511060.tif 000003
【図２ａ】
2013511060.tif 000004
【図２ｂ】
2013511060.tif 000005
【図３ａ】
2013511060.tif 000006
【図３ｂ】
2013511060.tif 000007
【図４ａ】
2013511060.tif 000008
【図４ｂ】
2013511060.tif 000009
【図５ａ】
2013511060.tif 000010
【図５ｂ】
2013511060.tif 000011
【国際調査報告】
2013511060.tif 000012
2013511060.tif 000013
2013511060.tif 000014